【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
燃料混合物を形成するために炭素質燃料を濃縮酸素および作動流体と混合するように構成される混合装置と、 
対向する出口部分から長手方向に相隔たる入口部分を有する燃焼室を画定する燃焼器装置であって、前記入口部分が、燃焼生成物を形成するために燃焼温度で前記燃焼室内部での燃焼のために前記燃焼混合物を受け取るように構成され、前記燃焼室が前記出口部分に向かって長手方向に前記燃焼生成物を導くようにさらに構成され、前記燃焼器装置が、
圧力抑制部材と、 
前記燃焼室を少なくとも部分的に画定し、前記圧力抑制部材によって少なくとも部分的に取り囲まれる多孔性の周界蒸散部材であって、前記多孔性蒸散部材は、そこを通ってその前記周縁の周りでらせん状におよび前記入口部分と前記出口部分との間で長手方向に、蒸散物質を前記燃焼室の中に流れ込むように実質的に一様に導くように構成され、前記燃焼生成物と前記多孔性蒸散部材との間の相互作用を緩衝する、多孔性の周界蒸散部材と、
を備える燃焼器装置と、
を備える装置。
【請求項２】
前記混合装置が、固形炭素質燃料、液状炭素質燃料、および気体炭素質燃料の内の１つを、前記濃縮酸素および前記作動流体と混合するようにさらに構成され、前記作動流体が、二酸化炭素および水の内の１つを備える、請求項１に記載の装置。
【請求項３】
前記混合装置が、粒子状固体炭素質燃料を備える前記炭素質燃料を、水および液体ＣＯ２の内の１つを備える流動化物質と混合して、スラリーを形成するようにさらに構成される、請求項１に記載の装置。
【請求項４】
前記燃焼室が、前記燃焼室の前記入口部分で約４０バールと約５００バールとの間の圧力で前記燃料混合物を受け取るようにさらに構成される、請求項１に記載の装置。
【請求項５】
前記混合装置から前記燃料混合物を受け取り、前記燃料混合物を前記燃焼室の前記入口部分の中に導くように構成されるバーナー装置をさらに備え、前記バーナー装置が前記燃焼室の中に導かれる前記燃料混合物の渦巻きを誘発するようにさらに構成される、請求項１に記載の装置。
【請求項６】
前記バーナー装置が、それから前記燃焼室の中への前記燃料混合物の流出時に前記燃料混合物の渦巻きを誘発するように構成される、請求項５に記載の装置。
【請求項７】
前記混合装置から前記燃料混合物を受け取り、前記燃料混合物の実質的に一様な線形流れを、前記燃焼室の前記入口部分の中に導くように構成されるバーナー装置をさらに備える、請求項１に記載の装置。
【請求項８】
前記多孔性蒸散部材が、前記燃焼室で受け取られる前記蒸散物質が、前記燃焼生成物との流出混合物を形成して、前記燃焼室の前記出口部分の周りの温度を調整するようにそこを通って前記蒸散物質を導くように構成される、請求項１に記載の装置。
【請求項９】
前記多孔性蒸散部材が、前記蒸散物質としてそれを通って二酸化炭素を導き、前記燃焼室内部で前記多孔性蒸散部材にすぐ隣接して前記蒸散物質とのバッファ層を形成するように構成され、前記多孔性蒸散部材と液化不燃性汚染物質との間の相互作用、および前記燃焼生成物と関連する熱を緩衝する、請求項８に記載の装置。
【請求項１０】
前記多孔性蒸散部材が、それを通して前記燃焼室の中にその前記周縁の周りで実質的に一様におよび前記入口部分と前記出口部分との間で長手方向に蒸散物質を導くように構成され、したがって前記蒸散物質は、前記多孔性蒸散部材の前記周縁に実質的に接線方向に、およびその周りでらせん状に流れるように導かれる、請求項１に記載の装置。
【請求項１１】
前記多孔性蒸散部材が、前記多孔性蒸散部材の前記周縁に実質的に接線方向に流れるように前記蒸散物質を導くために、それを通って前記燃焼室の中に導かれる前記蒸散物質に対してコアンダ効果を与えるように構成される、請求項１０に記載の装置。
【請求項１２】
前記混合装置から前記燃料混合物を受け取り、前記蒸散物質の前記らせん状の流れに対向する方向で、または前記蒸散物質の前記らせん状の流れに一致する方向で、前記燃焼室の前記入口部分の中に前記燃料混合物を導くように構成されるバーナー装置をさらに備える、請求項１０に記載の装置。
【請求項１３】
前記混合装置から前記燃料混合物を受け取り、前記燃焼室の前記入口部分の中に前記燃料混合物の実質的に一様な線形流れを導くように構成されるバーナー装置をさらに備え、前記蒸散物質の前記らせん状の流れが、前記燃焼室内部で前記燃料混合物の渦巻きを誘発するように構成される、請求項１０に記載の装置。
【請求項１４】
前記燃焼室が、前記入口部分に向かって配置される燃焼部、および前記出口部分に向かって配置される事後燃焼部を含み、前記燃焼部内で前記燃料混合物の前記誘発された渦巻きに関して前記事後燃焼部内での前記燃焼生成物の前記誘発された渦巻きを逆転するために、前記事後燃焼部上での前記蒸散物質の前記らせん状の流れが前記燃焼部上の前記蒸散物質の前記らせん状の流れに対向するように、前記多孔性蒸散部材が構成される、請求項１３に記載の装置。
【請求項１５】
前記入口部分と前記出口部分との間での前記燃料混合物および前記燃焼生成物の内の１つの前記誘発された渦巻きを交互に逆転するために、前記蒸散物質の前記らせん状の流れが少なくともその部分に沿って交互に逆転されるように前記多孔性蒸散部材が構成される、請求項１３に記載の装置。
【請求項１６】
前記多孔性蒸散部材が、それを通って延在する少なくとも１つの蒸散ポートをさらに含み、前記少なくとも１つの蒸散ポートが、その流量特性に影響を与えるために、前記燃料混合物および前記燃焼生成物の内の１つの中へ前記蒸散物質の補足的な線形流れを導くように構成される、請求項１に記載の装置。
【請求項１７】
前記圧力抑制部材と関連付けられ、その温度を制御するように構成される除熱装置をさらに備え、前記除熱装置がその中で液体を循環させる伝熱ジャケットを備える、請求項１に記載の装置。
【請求項１８】
前記多孔性蒸散部材が孔を画定するようにさらに構成され、前記多孔性蒸散部材が前記孔を画定する前記多孔性蒸散部材の表面積に実質的に等しい累積孔面積をさらに有し、任意選択で、前記孔が相隔てられ、前記多孔性蒸散部材の回りでおよびその前記入口部分と前記出口部分との間で実質的に一様に分散される、請求項１に記載の装置。
【請求項１９】
前記燃焼室から前記燃焼生成物を受け取るように構成される変換装置をさらに備え、前記変換装置が前記燃焼生成物に反応して、それと関連付けられるエネルギーを運動エネルギーに変換する、請求項１に記載の装置。
【請求項２０】
前記炭素質燃料が固体であり、前記システムが、前記燃焼器装置と前記変換装置との間に配置される分離器装置をさらに備え、前記分離器装置が、前記燃焼生成物が前記変換装置に誘導される前に、それによって受け取られる前記燃焼生成物から液化不燃性汚染物質を実質的に除去するように構成される、請求項１９に記載の装置。
【請求項２１】
前記蒸散物質は、前記多孔性蒸散部材を介して前記燃焼室の中に導入されるように構成され、前記燃焼室の中に前記蒸散物質を導いて、前記分離器装置に進入する前記燃焼生成物との混合物を形成し、前記不燃性汚染物質の液化温度を超える温度で前記混合物を調整するように構成される、請求項２０に記載の装置。
【請求項２２】
前記分離装置に続いて配置され、前記変換装置に進入する前記蒸散物質および前記燃焼生成物の混合物の温度を調整するために、前記液化不燃性汚染物質をそこから実質的に除去させた前記燃焼生成物に、前記蒸散物質を送達するように構成される蒸散物質送達装置をさらに備える、請求項２１に記載の装置。
【請求項２３】
前記分離器装置が、複数の直列に配列される遠心分離器装置をさらに備え、各遠心分離器装置が並列で動作可能に配列される複数の遠心分離器要素を有し、前記分離器装置によって前記燃焼生成物から除去される前記液化不燃性汚染物質が、前記分離器装置と関連付けられるサンプ内に除去可能に収集される、請求項２０に記載の装置。
【請求項２４】
前記変換装置が、それと関連付けられる前記エネルギーを運動エネルギーに変換するために前記燃焼生成物に反応するように構成されるタービン装置、および前記運動エネルギーを電気に変換するように構成されるジェネレータ装置の内の１つを備える、請求項１９に記載の装置。
【請求項２５】
前記多孔性蒸散部材が、それに関して実質的に直角に前記燃焼室の中に前記蒸散流体を導くように構成される、請求項１に記載の装置。
【請求項２６】
前記混合装置が、前記燃焼質内に導かれ、かつ前記炭素質燃料および前記濃縮酸素を有する前記燃料混合物を形成する前記作動流体として、前記蒸散物質を受け取るように構成され、同様に、前記多孔性蒸散部材を介して導かれるよう構成される、請求項１に記載の装置。
【請求項２７】
前記作動流体として、前記混合装置、および前記蒸散物質として、前記蒸散部材の内の少なくとも１つに前記蒸散物質を供給するように構成される少なくとも１つの蒸散物質源をさらに備える、請求項１に記載の装置。